【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
ＲＦＩＤタグを認証する方法であって、
秘密鍵を選択することと、
前記ＲＦＩＤタグを準備することであって、前記ＲＦＩＤタグを準備することは、
一意の識別コードを前記ＲＦＩＤタグから読み取ることと、
前記一意の識別コードを用いて前記秘密鍵を暗号化することによって認証署名を作成することと、
前記ＲＦＩＤタグのパスワードを前記認証署名に設定することと
を含む、ことと、
前記ＲＦＩＤタグを認証することであって、前記ＲＦＩＤタグを認証することは、
前記一意の識別コードを前記ＲＦＩＤタグから読み取ることと、
前記一意の識別コードを用いて前記秘密鍵を暗号化することによって前記認証署名を再作成することと、
前記パスワードとして前記認証署名を前記ＲＦＩＤタグに提供することによって、前記ＲＦＩＤタグの関数にアクセスすることを試行することと、
前記ＲＦＩＤタグの関数にアクセスする試行が成功する場合、前記ＲＦＩＤタグが真正であることを判定することと
を含む、ことと
を含む、ＲＦＩＤタグを認証する方法。
【請求項２】
認証署名を作成することは、前記認証署名を取得するために、前記秘密鍵および一意の識別コード（ＵＩＤ）にハッシュ関数を実施することを含む、請求項１に記載のＲＦＩＤタグを認証する方法。
【請求項３】
前記ハッシュ関数は、ＳＨＡ−１関数、ＳＨＡ−１  ＨＭＡＣ関数、ＳＨＡ−２関数、およびＭＤ５関数から成る群から選択される、請求項２に記載のＲＦＩＤタグを認証する方法。
【請求項４】
認証署名を作成することは、
ビット列を作成するために、前記一意の識別コード（ＵＩＤ）および前記秘密鍵を連結させることと、
前記認証署名を取得するために、前記ビット列にハッシュ関数を実施することと
を含む、請求項１に記載のＲＦＩＤタグを認証する方法。
【請求項５】
前記ハッシュ関数は、ＳＨＡ−１関数、ＳＨＡ−１  ＨＭＡＣ関数、ＳＨＡ−２関数、およびＭＤ５関数から成る群から選択される、請求項４に記載のＲＦＩＤタグを認証する方法。
【請求項６】
前記認証署名を複数のビット列の等しい長さに分割することと、
中間結果または最終結果のうちの少なくとも１つを取得するために、第１の複数のビット列および第２の複数のビット列にＸＯＲ演算を実施することと
をさらに含む、請求項４に記載のＲＦＩＤタグを認証する方法。
【請求項７】
中間結果または最終結果のうちの少なくとも１つを取得するために、最近算出された中間結果および前記複数のビット列のうちの後続のものにＸＯＲ演算を実施することをさらに含む、請求項６に記載のＲＦＩＤタグを認証する方法。
【請求項８】
アクセスが試行される前記関数は、読取関数、書込関数、および読取／書込関数から成る群から選択される、請求項１に記載のＲＦＩＤタグを認証する方法。
【請求項９】
電気外科的手技における使用のための外科手術用器具を準備するためのシステムであって、
ＲＦＩＤタグを有する外科手術用器具であって、前記ＲＦＩＤタグは、
準備ユニットによって可読である一意の識別子と、
パスワードを記憶し、与えられたパスワードが前記記憶されたパスワードに等しいかどうかを示すステータスを返すように構成される、パスワードモジュールと
を備える、外科手術用器具と、
準備ユニットであって、
ＲＦＩＤ通信ユニットと、
前記ＲＦＩＤ通信ユニットに動作可能に結合されるプロセッサと、
秘密鍵を記憶する前記プロセッサに動作可能に結合され、かつ、命令のセットを有するメモリであって、前記命令のセットは、
前記外科手術用器具のＲＦＩＤタグの一意の識別子を読み取ることと、
少なくとも部分的に、前記外科手術用器具のＲＦＩＤタグの一意の識別子を用いて前記秘密鍵を暗号化することに基づいて、認証署名を生成することと、
パスワードとして前記認証署名を前記パスワードモジュールに記憶することと
を行うためのものである、メモリと
を備える、準備ユニットと
を備える、電気外科的手技における使用のための外科手術用器具を準備するためのシステム。
【請求項１０】
前記パスワードは、前記ＲＦＩＤタグの関数と関連付けられる、請求項９に記載の電気外科的手技における使用のための外科手術用器具を準備するためのシステム。
【請求項１１】
前記ＲＦＩＤタグはさらに、読取／書込メモリを備え、前記ＲＦＩＤタグの関数は、前記読取／書込メモリの読取有効化、前記読取／書込メモリの書込有効化、および前記読取／書込メモリの読取／書込有効化から成る群から選択される、請求項１０に記載の電気外科的手技における使用のための外科手術用器具を準備するためのシステム。
【請求項１２】
前記ＲＦＩＤタグはさらに、読取／書込メモリを備え、前記命令のセットはさらに、前記読取／書込メモリ内のデータ構造を初期化するように構成される命令を備える、請求項９に記載の電気外科的手技における使用のための外科手術用器具を準備するためのシステム。
【請求項１３】
前記データ構造は、使用カウント、製造日、製造業者シリアルナンバー、有効期限、較正データ、履歴データ、証明データ、および動作制限パラメータから成る群から選択されるデータを記憶するように構成される、請求項１２に記載の電気外科的手技における使用のための外科手術用器具を準備するためのシステム。
【請求項１４】
前記認証署名は、少なくとも部分的に、前記ＲＦＩＤタグの前記秘密鍵および前記一意の識別子の暗号学的ハッシュに基づいて、生成される、請求項９に記載の電気外科的手技における使用のための外科手術用器具を準備するためのシステム。
【請求項１５】
前記暗号学的ハッシュは、ＭＤ５ハッシュ、ＳＨＡ−１ハッシュ、ＳＨＡ−１  ＨＭＡＣ関数、およびＳＨＡ−２ハッシュから成る群から選択される、請求項１４に記載の電気外科的手技における使用のための外科手術用器具を準備するためのシステム。
【請求項１６】
電気外科的手技の間の使用のための外科手術用器具を認証するためのシステムであって、
ＲＦＩＤタグを有する外科手術用器具であって、前記ＲＦＩＤタグは、
認証ユニットによって可読である一意の識別子と、
パスワードを記憶し、与えられたパスワードが、前記記憶されたパスワードに等しいかどうかを示すステータスを返すように構成される、パスワードモジュールと
を備える、外科手術用器具と、
認証ユニットであって、
ＲＦＩＤ通信ユニットと、
前記ＲＦＩＤ通信ユニットに動作可能に結合されるプロセッサと、
秘密鍵を記憶する前記プロセッサに動作可能に結合され、かつ、命令のセットを有するメモリであって、前記命令のセットは、
前記外科手術用器具のＲＦＩＤタグの一意の識別子を読み取ることと、
少なくとも部分的に、前記外科手術用器具のＲＦＩＤタグの一意の識別子を用いて前記秘密鍵を暗号化することに基づいて、認証署名を生成することと、
パスワードとして前記認証署名を前記パスワードモジュールに与えることと、
前記与えられたパスワードが、前記記憶されたパスワードに等しいかどうかを示すステータスを受信することと
を行うためのものである、メモリと
を備える、認証ユニットと
を備える、電気外科的手技の間の使用のための外科手術用器具を認証するためのシステム。
【請求項１７】
前記プロセッサに動作可能に結合される電気外科的発電機をさらに備える、請求項１６に記載の電気外科的手技の間の使用のための外科手術用器具を認証するためのシステム。
【請求項１８】
前記電気外科的発電機の動作は、前記受信されたステータスが前記与えられたパスワードが前記記憶されたパスワードと等しくないことを示す場合、阻止される、請求項１７に記載の電気外科的手技の間の使用のための外科手術用器具を認証するためのシステム。
【請求項１９】
前記ＲＦＩＤタグはさらに、読取／書込メモリを備え、前記命令のセットはさらに、前記読取／書込メモリ内のデータを修正するように構成される命令を備える、請求項１６に記載の電気外科的手技の間の使用のための外科手術用器具を認証するためのシステム。
【請求項２０】
前記認証署名は、少なくとも部分的に、前記ＲＦＩＤタグの前記秘密鍵および前記一意の識別子の暗号学的ハッシュに基づいて、生成される、請求項１６に記載の電気外科的手技の間の使用のための外科手術用器具を認証するためのシステム。
【手続補正２】
【補正対象書類名】明細書
【補正対象項目名】００１９
【補正方法】変更
【補正の内容】
【００１９】
いくつかの実施形態では、本説明されるシステムは、少なくとも部分的に、ＲＦＩＤタグの秘密鍵および一意の識別子（ＵＩＤ）の暗号学的ハッシュを使用して、認証署名を生成する。
【手続補正３】
【補正対象書類名】明細書
【補正対象項目名】００２０
【補正方法】変更
【補正の内容】
【００２０】
別の側面では、電気外科的手技の間の使用のための外科手術用器具を認証するためのシステムが、説明される。いくつかの実施形態では、本システムは、ＲＦＩＤタグを有する外科手術用器具を含み、ＲＦＩＤタグは、認証ユニットによって可読である一意の識別子と、パスワードを記憶し、与えられたパスワードが、記憶されたパスワードに等しいかどうかを示すステータスを返すように構成される、パスワードモジュールとを含む。本システムはさらに、ＲＦＩＤ通信ユニットと、ＲＦＩＤ通信ユニットに動作可能に結合されるプロセッサと、秘密鍵を記憶するプロセッサに動作可能に結合され、外科手術用器具のＲＦＩＤタグの一意の識別子を読み取り、少なくとも部分的に、外科手術用器具のＲＦＩＤタグの秘密鍵および一意の識別子に基づいて、認証署名を生成し、パスワードとして認証署名をパスワードモジュールに与え、与えられたパスワードが記憶されたパスワードに等しいかどうかを示すステータスを受信するための命令のセットを有する、メモリとを有する、認証ユニットを含む。いくつかの実施形態では、本システムは、プロセッサに動作可能に結合される電気外科的発電機を含む。いくつかの実施形態では、電気外科的発電機の動作は、受信されたステータスが、与えられたパスワードが記憶されたパスワードが等しくないことを示す場合、阻止される。いくつかの実施形態では、ＲＦＩＤタグは、読取／書込メモリを含み、命令のセットはさらに、読取／書込メモリ内にデータを修正するように構成される命令を含む。いくつかの実施形態では、認証署名は、少なくとも部分的に、ＲＦＩＤタグの秘密鍵および一意の識別子の暗号学的ハッシュに基づいて、生成される。
本願明細書は、例えば、以下の項目も提供する。
（項目１）
ＲＦＩＤタグを認証する方法であって、
秘密鍵を選択するステップと、
前記ＲＦＩＤタグを準備するステップであって、前記ＲＦＩＤタグを準備するステップは、
一意の識別コードを前記ＲＦＩＤタグから読み取るステップと、
認証署名を前記秘密鍵および前記一意の識別コードから作成するステップと、
前記ＲＦＩＤタグのパスワードを前記認証署名に設定するステップと、
を含む、ステップと、
前記ＲＦＩＤタグを認証するステップであって、前記ＲＦＩＤタグを認証するステップは、
前記一意の識別コードを前記ＲＦＩＤタグから読み取るステップと、
前記認証署名を前記秘密鍵および前記一意の識別コードから再作成するステップと、
前記パスワードとして前記認証署名を前記ＲＦＩＤタグに提供することによって、前記ＲＦＩＤタグの関数にアクセスすることを試行するステップと、
前記ＲＦＩＤタグの関数にアクセスする試行が成功する場合、前記ＲＦＩＤタグが真正であることを判定するステップと、
を含む、ステップと、
を含む、方法。
（項目２）
認証署名を作成するステップは、前記認証署名を取得するために、前記秘密鍵および一意の識別コード（ＵＩＤ）にハッシュ関数を実施するステップを含む、項目１に記載のＲＦＩＤタグを認証する方法。
（項目３）
前記ハッシュ関数は、ＳＨＡ−１関数、ＳＨＡ−１  ＨＭＡＣ関数、ＳＨＡ−２関数、およびＭＤ５関数から成る群から選択される、項目２に記載のＲＦＩＤタグを認証する方法。
（項目４）
認証署名を作成するステップは、
ビット列を作成するために、前記一意の識別コード（ＵＩＤ）および前記秘密鍵を連結させるステップと、
前記認証署名を取得するために、前記ビット列にハッシュ関数を実施するステップと、
を含む、項目１に記載のＲＦＩＤタグを認証する方法。
（項目５）
前記ハッシュ関数は、ＳＨＡ−１関数、ＳＨＡ−１  ＨＭＡＣ関数、ＳＨＡ−２関数、およびＭＤ５関数から成る群から選択される、項目４に記載のＲＦＩＤタグを認証する方法。
（項目６）
前記認証署名を複数のビット列の等しい長さに分割するステップと、
中間結果または最終結果のうちの少なくとも１つを取得するために、第１の複数のビット列および第２の複数のビット列にＸＯＲ演算を実施するステップと、
をさらに含む、項目４に記載のＲＦＩＤタグを認証する方法。
（項目７）
中間結果または最終結果のうちの少なくとも１つを取得するために、最近算出された中間結果および前記複数のビット列のうちの後続のものにＸＯＲ演算を実施するステップをさらに含む、項目６に記載のＲＦＩＤタグを認証する方法。
（項目８）
アクセスが試行される前記関数は、読取関数、書込関数、および読取／書込関数から成る群から選択される、項目１に記載のＲＦＩＤタグを認証する方法。
（項目９）
電気外科的手技における使用のための外科手術用器具を準備するためのシステムであって、
ＲＦＩＤタグを有する外科手術用器具であって、前記ＲＦＩＤタグは、
準備ユニットによって可読である一意の識別子と、
パスワードを記憶し、与えられたパスワードが前記記憶されたパスワードに等しいかどうかを示すステータスを返すように構成される、パスワードモジュールと、
を備える、外科手術用器具と、
準備ユニットであって、
ＲＦＩＤ通信ユニットと、
前記ＲＦＩＤ通信ユニットに動作可能に結合されるプロセッサと、
秘密鍵を記憶する前記プロセッサに動作可能に結合され、かつ、命令のセットを有するメモリであって、前記命令のセットは、
前記外科手術用器具のＲＦＩＤタグの一意の識別子を読み取ることと、
少なくとも部分的に、前記外科手術用器具のＲＦＩＤタグの秘密鍵および一意の識別子に基づいて、認証署名を生成することと、
パスワードとして前記認証署名を前記パスワードモジュールに記憶することと
を行うためのものである、メモリと、
を備える、準備ユニットと、
を備える、システム。
（項目１０）
前記パスワードは、前記ＲＦＩＤタグの関数と関連付けられる、項目９に記載の電気外科的手技における使用のための外科手術用器具を準備するためのシステム。
（項目１１）
前記ＲＦＩＤタグはさらに、読取／書込メモリを備え、前記ＲＦＩＤタグの関数は、読取／書込メモリの読取有効化、読取／書込メモリの書込有効化、および読取／書込メモリの読取／書込有効化から成る群から選択される、項目１０に記載の電気外科的手技における使用のための外科手術用器具を準備するためのシステム。
（項目１２）
前記ＲＦＩＤタグはさらに、読取／書込メモリを備え、前記命令のセットはさらに、前記読取／書込メモリ内のデータ構造を初期化するように構成される命令を備える、項目９に記載の電気外科的手技における使用のための外科手術用器具を準備するためのシステム。
（項目１３）
前記データ構造は、使用カウント、製造日、製造業者シリアルナンバー、有効期限、較正データ、履歴データ、証明データ、および動作制限パラメータから成る群から選択されるデータを記憶するように構成される、項目１２に記載の電気外科的手技における使用のための外科手術用器具を準備するためのシステム。
（項目１４）
前記認証署名は、少なくとも部分的に、前記ＲＦＩＤタグの前記秘密鍵および前記一意の識別子の暗号学的ハッシュに基づいて、生成される、項目９に記載の電気外科的手技における使用のための外科手術用器具を準備するためのシステム。
（項目１５）
前記暗号学的ハッシュは、ＭＤ５ハッシュ、ＳＨＡ−１ハッシュ、ＳＨＡ−１  ＨＭＡＣ関数、およびＳＨＡ−２ハッシュから成る群から選択される、項目１４に記載の電気外科的手技における使用のための外科手術用器具を準備するためのシステム。
（項目１６）
電気外科的手技の間の使用のための外科手術用器具を認証するためのシステムであって、
ＲＦＩＤタグを有する外科手術用器具であって、前記ＲＦＩＤタグは、
認証ユニットによって可読である一意の識別子と、
パスワードを記憶し、与えられたパスワードが、前記記憶されたパスワードに等しいかどうかを示すステータスを返すように構成される、パスワードモジュールと、
を備える、外科手術用器具と、
認証ユニットであって、
ＲＦＩＤ通信ユニットと、
前記ＲＦＩＤ通信ユニットに動作可能に結合されるプロセッサと、
秘密鍵を記憶する前記プロセッサに動作可能に結合され、かつ、命令のセットを有するメモリであって、前記命令のセットは、
前記外科手術用器具のＲＦＩＤタグの一意の識別子を読み取ることと、
少なくとも部分的に、前記外科手術用器具のＲＦＩＤタグの秘密鍵および一意の識別子に基づいて、認証署名を生成することと、
パスワードとして前記認証署名を前記パスワードモジュールに与えることと、
前記与えられたパスワードが、前記記憶されたパスワードに等しいかどうかを示すステータスを受信することと
を行うためのものである、メモリと、
を備える、認証ユニットと、
を備える、システム。
（項目１７）
前記プロセッサに動作可能に結合される電気外科的発電機をさらに備える、項目１６に記載の電気外科的手技の間の使用のための外科手術用器具を認証するためのシステム。
（項目１８）
前記電気外科的発電機の動作は、前記受信されたステータスが前記与えられたパスワードが前記記憶されたパスワードと等しくないことを示す場合、阻止される、項目１７に記載の電気外科的手技の間の使用のための外科手術用器具を認証するためのシステム。
（項目１９）
前記ＲＦＩＤタグはさらに、読取／書込メモリを備え、前記命令のセットはさらに、前記読取／書込メモリ内のデータを修正するように構成される命令を備える、項目１６に記載の電気外科的手技の間の使用のための外科手術用器具を認証するためのシステム。
（項目２０）
前記認証署名は、少なくとも部分的に、前記ＲＦＩＤタグの前記秘密鍵および前記一意の識別子の暗号学的ハッシュに基づいて、生成される、項目１６に記載の電気外科的手技の間の使用のための外科手術用器具を認証するためのシステム。